(57)【要約】  本発明の実施例は逆光補正方法、装置及び端末を提供する。該装置は、プレビュー画像を取得するための取得モジュール、プレビュー画像を逆光補正する必要があるかどうかを判断するための判断モジュール、補正光源の補正パラメータを計算するための計算モジュール、補正パラメータに基づきプレビュー画像を逆光補正するための補正モジュール、及びプレビュー画像を表示するための表示モジュールを備え、該端末は撮影装置、記憶装置及び逆光補正装置を備え、逆光補正装置は撮影装置によってプレビュー画像を取得して、補正パラメータを計算してプレビュー画像を逆光補正する。【選択図】図1
2015532041.tif 000002
【特許請求の範囲】
【請求項１】
逆光補正方法であって、
プレビュー画像を取得することと、
前記プレビュー画像を逆光補正する必要があるかどうかを判断することと、
必要があると、補正光源の補正パラメータを計算して、前記プレビュー画像を逆光補正することと、
必要がないと、前記プレビュー画像を表示することと、を含む逆光補正方法。
【請求項２】
前記プレビュー画像を逆光補正する必要があるかどうかを判断するステップは、
前記プレビュー画像に暗いエリアが存在するかどうかを検出することと、
存在すると、逆光補正を行う必要があることと、
存在しないと、逆光補正を行う必要がないことと、を含む請求項1に記載の逆光補正方法。
【請求項３】
前記プレビュー画像に暗いエリアが存在するかどうかを検出するステップは、
前記プレビュー画像における単位フレームの第1平均輝度値を計算することと、
すべての単位フレームの第1平均輝度値に基づき前記プレビュー画像の第2平均輝度値を計算することと、
前記第2平均輝度値に基づき第1閾値を確定することと、
すべての単位フレームの第1平均輝度値と前記第1閾値を比較して、第1平均輝度値が前記第1閾値より小さい単位フレームが存在するかどうかを判断することと、
存在すると、第1平均輝度値が前記第1閾値より小さいすべての隣接する単位フレームを接続して前記暗いエリアを形成し、即ち前記プレビュー画像に暗いエリアが存在することと、
存在しないと、前記プレビュー画像に暗いエリアが存在しないことと、を含む請求項2に記載の逆光補正方法。
【請求項４】
前記補正パラメータは補正光源の補正方向及び補正強度を含み、前記補正パラメータを計算するステップは、
前記暗いエリアの位置及び第3平均輝度値を計算することと、
前記補正光源の初期位置を計算することと、
前記補正光源の初期位置と前記暗いエリアの位置に基づき、前記補正光源の補正方向を計算することと、
第2閾値を取得し、前記第2平均輝度値、前記第3平均輝度値及び前記第2閾値に基づき前記補正光源の補正強度を計算することと、を含む請求項3に記載の逆光補正方法。
【請求項５】
前記プレビュー画像を逆光補正した後に、更に、
逆光補正が成功したかどうかを判断することと、
成功しないと、逆光補正が成功するまで、再び逆光補正することと、
成功すると、逆光補正後のプレビュー画像を表示することと、を含む請求項1〜4のいずれか一つに記載の逆光補正方法。
【請求項６】
逆光補正装置であって、取得モジュール、判断モジュール、計算モジュール、補正モジュール及び表示モジュールを含み、
前記取得モジュールは、プレビュー画像を取得して判断モジュールに出力するように設定され、
前記判断モジュールは、前記プレビュー画像を逆光補正する必要があるかどうかを判断するように設定され、
前記計算モジュールは、前記プレビュー画像を逆光補正する必要がある際に、補正光源の補正パラメータを計算するように設定され、
前記補正モジュールは、前記プレビュー画像を逆光補正する必要がある際に、補正パラメータに基づきプレビュー画像を逆光補正するように設定され、
前記表示モジュールは、前記プレビュー画像又は逆光補正処理されたプレビュー画像を表示するように設定される逆光補正装置。
【請求項７】
前記判断モジュールは、プレビュー画像に暗いエリアが存在するかどうかを検出し、存在すると、前記計算モジュールが補正光源の補正パラメータを計算するように通知し、存在しないと、前記表示モジュールが前記プレビュー画像を表示するように通知するように設定される第1判断ユニットを含む請求項6に記載の逆光補正装置。
【請求項８】
前記計算モジュールは第1計算ユニットを含み、
前記第1計算ユニットは、プレビュー画像における単位フレームの第1平均輝度値を計算し、すべての単位フレームの第1平均輝度値に基づきプレビュー画像の第2平均輝度値を計算して、第2平均輝度値に基づき第1閾値を計算するように設定され、
前記第1判断ユニットはさらに、プレビュー画像におけるすべての単位フレームの第1平均輝度値と第1閾値を比較し、第1平均輝度値が第1閾値より小さいいずれの単位フレームが存在するかどうかを判断し、存在すると、第1平均輝度値が前記第1閾値より小さいすべての隣接する単位フレームを接続して前記暗いエリアを形成し、即ち前記プレビュー画像に暗いエリアが存在し、存在しないと、前記プレビュー画像に暗いエリアが存在しないように設定される請求項7に記載の逆光補正装置。
【請求項９】
補正パラメータは補正光源の補正方向と補正強度を含み、前記計算モジュールは第2計算ユニットを更に含み、
前記第1計算ユニットはさらに、暗いエリア位置及び暗いエリアの第3平均輝度値を計算して、第2閾値を取得するように設定され、
前記第2計算ユニットは、補正光源の初期位置を計算し、補正光源の初期位置と暗いエリア位置に基づき、補正光源の補正方向を計算し、さらに、第2平均輝度値、第3平均輝度値及び第2閾値に基づき補正光源の補正強度を計算することに用いられるように設定される請求項8に記載の逆光補正装置。
【請求項１０】
前記判断モジュールは、逆光補正が成功したかどうかを判断し、成功しないと、逆光補正が成功するまで、計算モジュール及び補正モジュールが再び逆光補正するように通知し、成功すると、逆光補正後のプレビュー画像を表示し、補正光源の補正パラメータをリセットするように設定される第2判断ユニットを更に含む請求項6〜9のいずれか一つに記載の逆光補正装置。
【請求項１１】
逆光補正端末であって、撮影装置と記憶装置を含み、請求項6〜10のいずれか一つに記載の逆光補正装置を更に含み、前記逆光補正装置は、前記撮影装置によってプレビュー画像を取得し、前記プレビュー画像を逆光補正する必要があるかどうかを検出し、必要がある際に、補正パラメータを計算して前記プレビュー画像を逆光補正するように設定され、前記記憶装置はユーザが撮影した逆光補正処理された画像を記憶するように設定される逆光補正端末。
【発明の詳細な説明】
【技術分野】
【０００１】
本発明は画像情報処理分野に関し、特に逆光補正方法、装置及び端末に関する。
【背景技術】
【０００２】
従来、写真と撮影技術の普及に伴って、携帯電話等の手持ち移動機器にはほとんどフラッシュライトを備えるウェブカメラが取り付けられる。逆光で撮る際に、同一のフレームの画像にはある部分が非常に暗く、ある部分が非常に明るい場合があることが多く、従来の撮影機器はよく用いられる自動露光アルゴリズムはいずれも全体画像の平均輝度値を参考値として、このようなアルゴリズムは暗いエリアを十分に露光させることができなく、全体の結像効果が悪くなってしまい、同時に、フラッシュライトには以下の欠点が存在する。
【０００３】
1、フラッシュライトが固定したものであり、フラッシュ照明が中間部分に集め、周囲に暗いエリアがある際に、フラッシュライトの補正が限られ、2、フラッシュライトは全体画像の平均輝度値を参考値として、平均輝度値はフラッシュライトが開く閾値より小さい際だけで、フラッシュライトが開き、このように、我々が逆光で撮る際に、興味のある局所の暗いエリアを考慮できなく、逆光場合での撮影品質を向上させることもできない。
【発明の概要】
【発明が解決しようとする課題】
【０００４】
このため、如何に露光パラメータの制御可能な逆光補正技術を提供するかは、当業者は解決しようとする技術問題となる。
【課題を解決するための手段】
【０００５】
本発明の実施例は、従来の撮影機器フラッシュライトの補正パラメータが制御できない問題を解決する逆光補正方法、装置及び端末を提供する。
【０００６】
本発明は、まず、逆光補正方法を提供し、一実施例において、該方法は、
プレビュー画像を取得することと、
逆光補正を行う必要があるかどうかを判断することと、
必要があると、補正光源の補正パラメータを計算して、プレビュー画像を逆光補正することと、
必要がないと、プレビュー画像を表示することと、を含む。
【０００７】
上記実施例による逆光補正方法を用いて、本発明は逆光補正装置を提供し、一実施例において、該装置は取得モジュール、判断モジュール、計算モジュール、補正モジュール及び表示モジュールを備え、
プレビュー画像を取得するように設定される取得モジュール、
プレビュー画像を逆光補正する必要があるかどうかを判断するように設定される判断モジュール、
プレビュー画像を逆光補正する必要がある際に、補正光源の補正パラメータを計算するように設定される計算モジュール、
プレビュー画像を逆光補正する必要がある際に、補正パラメータに基づきプレビュー画像を逆光補正するように設定される補正モジュール、及び
プレビュー画像又は逆光補正処理されたプレビュー画像を表示するように設定される表示モジュールを備える。
【０００８】
一実施例において、上記実施例における判断モジュールは、プレビュー画像に暗いエリアが存在するかどうかを検出し、存在すると、計算モジュールが補正光源補正パラメータを計算するように通知し、存在しないと、表示モジュールがプレビュー画像を表示するように通知するように設定される第1判断ユニットを含む。
【０００９】
一実施例において、上記実施例における計算モジュールは、
プレビュー画像における単位フレームの第1平均輝度値を計算し、すべての単位フレームの第1平均輝度値に基づきプレビュー画像の第2平均輝度値を計算し、第2平均輝度値に基づき第1閾値を計算するように設定される第1計算ユニットを含み、
また、第1判断ユニットは、プレビュー画像におけるすべての単位フレームの第1平均輝度値と第1閾値を比較し、第1平均輝度値が第1閾値より小さいいずれの単位フレームが存在するかどうかを判断し、存在すると、プレビュー画像に暗いエリアが存在し、暗いエリアは第1平均輝度値が第1閾値より小さいすべての隣接する単位フレームにより接続してなるものであり、存在しないと、プレビュー画像に暗いエリアが存在しないように設定される。
【００１０】
一実施例において、上記実施例における計算モジュールは第2計算ユニットを更に含み、
また、第1計算ユニットは、暗いエリア位置及び暗いエリアの第3平均輝度値を計算して、第2閾値を取得するように設定され、
第2計算ユニットは、補正光源の初期位置を計算し、補正光源の初期位置と暗いエリア位置に基づき、補正光源の補正方向を計算し、また、第2平均輝度値、第3平均輝度値及び第2閾値に基づき補正光源の補正強度を計算することに用いられるように設定される。
【００１１】
一実施例において、上記実施例における補正パラメータは補正光源の補正方向と補正強度を含む。
【００１２】
一実施例において、上記実施例における判断モジュールは、逆光補正が成功したかどうかを判断し、成功しないと、逆光補正が成功するまで、計算モジュール及び補正モジュールが再び逆光補正するように通知し、成功すると、逆光補正後のプレビュー画像を表示し、補正光源の補正パラメータをリセットするように設定される第2判断ユニットを更に含む。
【００１３】
本発明は逆光補正端末を更に提供し、一実施例において、該逆光補正端末は撮影装置と記憶装置を備える以外、上記実施例における逆光補正装置を更に備え、逆光補正装置は、撮影装置によってプレビュー画像を取得し、該プレビュー画像を逆光補正する必要があるかどうかを検出し、必要がある際に、補正パラメータを計算してプレビュー画像を逆光補正するように設定され、記憶装置はユーザが撮影した逆光補正処理された画像を記憶することに用いられる。
【発明の効果】
【００１４】
本発明の実施例は以下のような有益な効果を有し、まず、該逆光補正方法はプレビュー画像に基づき補正パラメータを計算し、補正パラメータに基づき補正光源を対象的に制御することができ、関連技術における補正パラメータを制御できないフラッシュライトと比べて、顕著な進歩が存在し、次に、該逆光補正方法はプレビュー画像に暗いエリアが存在するかどうかを検出することによって逆光補正を行う必要があるかどうかを判断するため、従来のプレビュー画像の平均輝度値に基づきフラッシュライトが開くかどうかを判断する方式と比べて、露光補正の制御がより正確であり、更に、該逆光補正方法は暗いエリアの位置及び平均輝度値を分析することによって補正光源の補正パラメータを計算し、制御が正確であり、最後、該逆光補正方法は逆光補正された画像の補正が成功したかどうかを検出することによって、逆光補正の効果を確保し、以上のように、本発明の実施例によって、補正パラメータの制御可能な逆光補正方法、装置及び端末を提供し、ユーザが撮影機器を使用して逆光撮影する際に、自動的にプレビュー画像を逆光補正して、ユーザに完璧な品質を有する画像を表示することができ、ユーザの使用エクスペリエンスを増加する。
【図面の簡単な説明】
【００１５】
【図１】図1は一実施例における本発明による逆光補正端末1の構造模式図である。
【図２】図2は一実施例における本発明による逆光補正装置12の構造模式図である。
【図３】図3は一実施例における本発明による逆光補正装置12の構造模式図である。
【図４】図4は一実施例における本発明による逆光補正装置12の構造模式図である。
【図５】図5は一実施例における本発明による逆光補正装置12の構造模式図である。
【図６】図6は一実施例における本発明による逆光補正装置12の構造模式図である。
【図７】図7は一実施例における本発明の実施例における逆光補正方法のフローチャートである。
【図８】図8は本発明の好ましい実施例における逆光補正端末1の構造模式図である。
【図９】図9は本発明の好ましい実施例における逆光補正方法のフローチャートである。
【図１０】図10は本発明の一実施例における補正モジュールにおける補正光源制御装置の構造模式図である。
【発明を実施するための形態】
【００１６】
以下で、図面を参照して本発明の実施例を詳しく説明する。説明する必要があるのは、衝突しない場合で、本出願における実施例及び実施例における特徴を互いに任意に組み合わせることができる。
【００１７】
図1は一実施例における本発明による逆光補正端末1の構造模式図である。
【００１８】
図1から分かるように、一実施例において、本発明による逆光補正端末1は撮影装置11、逆光補正装置12及び記憶装置13を備え、
撮影装置11は、景物、人物又は動物等の画像を撮影するように設定され、
逆光補正装置12は、撮影装置11によってプレビュー画像を取得し、該プレビュー画像を逆光補正する必要があるかどうかを検出し、必要がある際に、補正パラメータを計算して、補正パラメータに基づき補正光源を制御してプレビュー画像を逆光補正し、ユーザに逆光補正処理されたプレビュー画像を表示するように設定され、
記憶装置13は、撮影した画像を記憶するように設定され、
上記実施例における撮影装置11は従来の技術における各種の解像度のウェブカメラ装置を含むが、これに制限されなく、記憶装置13は従来の技術における各種の容量の記憶カードを含むが、これに制限されない。
【００１９】
図2は図1に示す逆光補正端末1における逆光補正装置12の構造模式図である。
【００２０】
図2から分かるように、一実施例において、図1に示す逆光補正端末1における逆光補正装置12は、取得モジュール121、判断モジュール122、計算モジュール123、補正モジュール124及び表示モジュール125を備え、
取得モジュール121は、撮影装置11によって被撮影対象のプレビュー画像を取得するように設定され、
判断モジュール122は、取得モジュール121が取得したプレビュー画像を逆光補正する必要があるかどうかを判断するように設定され、
計算モジュール123は、プレビュー画像を逆光補正する必要がある際に、補正光源の補正パラメータを計算するように設定され、
補正モジュール124は、少なくとも1つの補正光源を含み、プレビュー画像を逆光補正する必要がある際に、計算モジュール123が計算した補正パラメータに基づきプレビュー画像を逆光補正するように設定され、
表示モジュール125は、ユーザにプレビュー画像又は逆光補正処理されたプレビュー画像を表示するように設定され、各種の表示装置、例えばLED等を含む、これに制限されない。
【００２１】
図3は図2に示す逆光補正装置12の一実施例における構造模式図である。
【００２２】
図3から分かるように、一実施例において、上記実施例における判断モジュール122は、プレビュー画像に暗いエリアが存在するかどうかを検出し、存在すると、計算モジュール123がプレビュー画像に基づき補正光源の補正パラメータを計算するように通知し、存在しないと、表示モジュール125がプレビュー画像を表示するように通知することに用いられる第1判断ユニット1221を含む。
【００２３】
図4は図3に示す逆光補正装置12の一実施例における構造模式図である。
【００２４】
図4から分かるように、一実施例において、上記実施例における計算モジュール123は第1計算ユニット1231を含み  このとき、 
第1計算ユニット1231は、プレビュー画像における単位フレームの第1平均輝度値L1を計算し、すべての単位フレームの第1平均輝度値L1に基づきプレビュー画像の第2平均輝度値L2を計算して、第2平均輝度値L2に基づき第1閾値Th1を計算するように設定され、
また、第1判断ユニット1221は、プレビュー画像におけるすべての単位フレームの第1平均輝度値L1と第1閾値Th1を比較し、第1平均輝度値L1が第1閾値Th1より小さいいずれの単位フレームが存在するかどうかを判断し、存在すると、プレビュー画像に暗いエリアが存在し、暗いエリアは第1平均輝度値が第1閾値より小さいすべての隣接する単位フレームにより接続してなるものであり、存在しないと、プレビュー画像に暗いエリアが存在しないように設定される。
【００２５】
上記実施例において、第1閾値Th1は1つのユーザによって設定した（又は端末システムデフォルト）具体的な輝度値、例えばTh1=0.5カンデラ毎平方メートルであってよく、勿論、第1閾値は第1計算ユニット1231が1つのユーザが設定した（又は端末システムデフォルト）の比例係数K1（該比例係数K1が経験又は統計に基づき確定することができる）に基づきプレビュー画像の第2平均輝度値L2をかけて得られた輝度値、即ちTh1= K1* L2であってよい。
【００２６】
図5は図4に示す逆光補正装置12の一実施例における構造模式図である。
【００２７】
図5から分かるように、一実施例において、上記実施例における補正パラメータは補正光源の補正方向と補正強度を含み、上記実施例における計算モジュール123は第2計算ユニット1232を更に含み、
また、第1計算ユニット1231は、暗いエリア位置及び暗いエリアの第3平均輝度値L3を計算して、第2閾値Th2を取得するように設定され、
第2計算ユニット1232は、補正光源の初期位置を計算し、補正光源の初期位置と暗いエリア位置に基づき、補正光源の補正方向を計算して、また、第2平均輝度値L2、第3平均輝度値L3及び第2閾値Th2に基づき補正光源の補正強度を計算することに用いられるように設定される。
【００２８】
上記実施例において、第2閾値Th2は1つのユーザが設定（又は端末システムデフォルト）した具体的なパラメータ値又は具体的な輝度関係値であってよく、端末は該第2閾値Th2に基づき逆光補正光源が補正する必要がある強度をシミュレーション計算しなければ補正後のプレビュー画像に暗いエリアが存在し、且つ全体のプレビュー画像における各エリアの輝度変化の過度が完璧であり、第2閾値Th2の1種の計算方式は、経験式又は統計に基づき比例係数K2、K3を確定し、逆光補正された後、プレビュー画像の第2平均値がL2'であり、暗いエリアの第3平均輝度値がL3'であり、L2'、L3'及び第2閾値Th2が以下の条件を満たすだけで、逆光補正が完成すると考えるように設定され、満たす必要がある条件は、
K2* L2' < 3'（L3'・第2閾値Th2）< K3* L2'である。
【００２９】
図6は図5に示す逆光補正装置12が一実施例における構造模式図である。
【００３０】
図6から分かるように、一実施例において、上記実施例における判断モジュール122は、逆光補正が成功したかどうかを判断し、成功しないと、逆光補正が成功するまで計算モジュール123及び補正モジュール124が再び逆光補正するように通知し、成功すると、表示モジュール125が逆光補正後のプレビュー画像を表示するように通知し、且つ補正モジュール124が補正光源の補正パラメータをリセットするように通知するように設定される第2判断ユニット1222を更に含む。
【００３１】
本発明をよりよく実際の生活に使用するために、本発明はセット使用する逆光補正方法を提供し、図7は本発明による逆光補正方法が一実施例におけるフローチャートである。
【００３２】
図7から分かるように、一実施例において、本発明による逆光補正方法は、
プレビュー画像を取得するS701、
逆光補正を行う必要があるかどうかを判断し、必要があると、ステップS703を実行し、必要がないと、ステップS705を実行するS702、
補正光源の補正パラメータを計算するS703、
補正パラメータに基づきプレビュー画像を逆光補正するS704、及び
プレビュー画像、又は処理されたプレビュー画像を表示するS705を含む。
一実施例において、図7に示す逆光補正方法におけるステップS702は、
プレビュー画像に暗いエリアが存在するかどうかを検出する；
存在すると、逆光補正する必要があることと、
存在しないと、逆光補正する必要がないことと、を含む。
【００３３】
一実施例において、上記実施例におけるプレビュー画像に暗いエリアが存在するかどうかを検出するステップは、
プレビュー画像における単位フレームの第1平均輝度値を計算することと、
すべての単位フレームの第1平均輝度値に基づきプレビュー画像の第2平均輝度値を計算することと、
第2平均輝度値に基づき第1閾値を確定することと、
すべての単位フレームの第1平均輝度値と第1閾値を比較して、第1平均輝度値が第1閾値より小さいいずれの単位フレームが存在するかどうかを判断することと、
存在すると、プレビュー画像に暗いエリアが存在し、暗いエリアは第1平均輝度値が第1閾値より小さいすべての隣接する単位フレームにより接続してなるものであり、
逆に、プレビュー画像に暗いエリアが存在しないことと、を含む。
【００３４】
一実施例において、上記実施例における補正パラメータを計算するステップは、
暗いエリア位置及び第3平均輝度値を計算して記録することと、
補正光源の初期位置を計算することと、
補正光源の初期位置と暗いエリア位置に基づき、補正光源の補正方向を計算することと、
第2閾値を取得して、第2平均輝度値、第3平均輝度値及び第2閾値に基づき補正光源の補正強度を計算することと、を含む。
【００３５】
一実施例において、図7に示す逆光補正方法において、プレビュー画像を逆光補正した後で、更に、
逆光補正が成功したかどうかを判断するステップと、
成功しないと、逆光補正が成功するまで、再び逆光補正するステップと、
成功すると、逆光補正後のプレビュー画像を表示するステップと、を含む。
【００３６】
本発明の思想をよりよく解釈して説明するために、以下で、応用実例を参照して本発明の実施例を補充して説明する。
【００３７】
図8は本実施例における逆光補正端末の構造模式図であり、図9は本実施例における逆光補正方法のフローチャートであり、
図8から分かるように、本実施例において、逆光補正端末1は撮影装置11、逆光補正装置12及び記憶装置13を備え、逆光補正装置12は取得モジュール121、判断モジュール122（判断モジュール122は第1判断ユニット1221と第2判断ユニット1222を含み、図8に図示せず）、計算モジュール123（計算モジュール123は第1計算ユニット1231と第2計算ユニット1232を含み、図8に図示せず）、補正モジュール124及び表示モジュール125を含み、各機能モジュールの接続関係及び機能は以上で詳しく説明したため、ここで再び説明しなく、
図9から分かるように、本実施例において、逆光補正方法は、
ユーザが撮影アプリケーションを呼び出し始め、逆光補正端末が撮影モードに入るS901、
逆光補正装置における取得モジュール121は撮影装置（ウェブカメラ等）によってプレビュー画像を取得するS902、
計算モジュール123における第1計算ユニット1231は第1平均輝度値、第2平均輝度値及び第1閾値を計算し、
第1計算ユニット1231はプレビュー画像における単位フレームの第1平均輝度値を計算し、すべての単位フレームの第1平均輝度値に基づきプレビュー画像の第2平均輝度値を計算し、更に、第2平均輝度値に基づき計算して第1閾値を取得して、第1判断ユニット1221に伝送するS903、
判断モジュール122における第1判断ユニット1221は暗いエリアが存在するかどうかを判断し、暗いエリアが存在すると、ステップS905を実行し、存在しないと、ステップS908を実行し、
第1判断ユニット1221はすべての単位フレームの第1平均輝度値と第1閾値を比較し、第1平均輝度値が第1閾値より小さいいずれの単位フレームが存在するかどうかを判断し、存在すると、プレビュー画像に暗いエリアが存在し、暗いエリアは第1平均輝度値が第1閾値より小さいすべての隣接する単位フレームにより接続してなるものであり、存在しないと、プレビュー画像に暗いエリアが存在しないS904、
計算モジュール123における第2計算ユニット1232は補正パラメータを計算して、補正モジュール124に伝送し、
第1計算ユニット1231は第1判断ユニット1221が得られた暗いエリアの暗いエリア位置及び暗いエリアの第3平均輝度値、及び補正光源の初期位置を計算して記録し、
第2計算ユニット1232は補正光源の初期位置と暗いエリア位置に基づき、補正光源の補正方向を計算し、取得した第2閾値、第2平均輝度値、第3平均輝度値に基づき補正光源の補正強度を計算するS905、
第2計算ユニット1232が計算して得られた補正パラメータに基づき、補正モジュール124内部の補正光源を制御してプレビュー画像を逆光補正し、
補正モジュール124は少なくとも1つの補正光源を含み、補正光源はLEDライト等であってよく、補正光源の補正方向を調整する装置は図11に示すようなものであってよく、Aは左右回転装置、内蔵直流ボイスコイルモータ類を制御する装置であり、Bは上下回転を制御する装置であり、Aの構造と機能に同様であり、CはBに従って回転できる装置であり、補正光源はCに固定されることができ、DはAにしたがって回転できる装置であり、BとCはDに固定され、該装置は補正光源の補正方向（又は補正光源の位置）が上、下、左、右という4つの方向における回転を実現でき、光源の投射方向を変えるS906、
判断モジュール122における第2判断ユニット1222はステップS906の補正が成功したかどうかを判断し、成功すると、ステップS908を実行し、成功しないと、ステップS905、S906、S907を繰り返して実行し、
第2判断ユニット1222は補正モジュール124がプレビュー画像に対する補正が成功したかどうかの標準は、この前に暗いエリアを補正した後の第3平均輝度値とプレビュー画像を補正した後の第4平均輝度値が特定関係（第2閾値）を満たすかどうかに基づき、満たすと、補正が成功すると考え、満たさないと、補正が成功しないと考えるS907、
表示モジュール125はプレビュー画像又は逆光補正処理されたプレビュー画像を表示するS908、及び
ユーザはステップS908に表示したプレビュー画像を撮影して、記憶装置13に記憶し、補正光源の補正パラメータをリセットするS909を含む。
【００３８】
本出願が提供した逆光補正方法を実施しやすくするために、本発明の実施例による逆光補正装置における各機能モジュールのPCBレイアウトができるだけコンパクトになるべきであるのは、本発明の実施例による逆光補正方法は補正パラメータを迅速に計算し、補正光源の制御を行う必要があるわけであり、補正モジュール124は複数の補正光源を含む際に、複数の補正光源を撮影装置11を回るように並べることができ、逆光補正を迅速に行うことに便利である。
【００３９】
本発明の実施例による逆光補正方法、装置及び端末の実施によって、以下のような有益効果を有し、
まず、関連技術におけるフラッシュライトの露光強度、方向及び時間はいずれも変わることができず、本発明による逆光補正方法はプレビュー画像に基づき補正パラメータを計算し、補正パラメータに基づき補正光源を対象的に制御し、従来の技術における補正パラメータを制御できないフラッシュライトと比べて、顕著な進歩が存在し、
次に、関連技術におけるフラッシュライトは全体のプレビュー画像の平均輝度値を依拠として開くかどうかを判断し、本発明による逆光補正方法はプレビュー画像に暗いエリアが存在するかどうかを検出することによって逆光補正を行う必要があるかどうかを判断し、従来の技術と比べて逆光補正を開く制御はより正確であり、
更に、該逆光補正方法は暗いエリアの位置及び平均輝度値を分析することによって補正光源の補正パラメータを計算し、制御が正確であり、
最後、該逆光補正方法は逆光補正された画像の補正が成功したかどうかを検出することによって、逆光補正の効果を確保し、
以上のように、本発明の実施例によって、補正パラメータの制御可能な逆光補正方法、装置及び端末を提供し、ユーザが撮影機器を使用して逆光撮影する際に、自動的にプレビュー画像を逆光補正して、ユーザに完璧な品質を有する画像を表示することができ、ユーザの使用エクスペリエンスを増加する。
【００４０】
当業者は、上記方法における全部又は一部のステップは、プログラムが関連のハードウェアを指令することにより完成することができ、前記プログラムはコンピュータ可読記憶媒体、例えば読み出し専用メモリ、ディスク又はＣＤなどに記憶することができることを理解することができる。選択的に、上記実施例の全部又は一部のステップは、1つ又は複数の集積回路を採用して達成することもできる。対応的には、上記実施例における各モジュール／ユニットはハードウェアの形式で達成してよく、ソフトウェア機能モジュールの形式で達成してもよい。本発明はいずれの特定形式のハードウェアとソフトウェアの組み合わせに限定されたものではない。
【００４１】
以上は本発明の具体的な実施形態だけであり、本発明をいずれかの形式には制限するものではなく、本発明の技術実質にしたがって以上の実施形態に対して行ったいずれかの簡単な修正、等同変化又は修飾は、いずれも本発明の技術的解決手段の保護範囲に属する。
【産業上の利用可能性】
【００４２】
本発明の実施例はユーザが撮影機器を使用して逆光撮影する際に、自動的にプレビュー画像を逆光補正して、ユーザに完璧な品質を有する画像を表示することができ、ユーザの使用エクスペリエンスを増加する。
【図１】
2015532041.tif 000003
【図２】
2015532041.tif 000004
【図３】
2015532041.tif 000005
【図４】
2015532041.tif 000006
【図５】
2015532041.tif 000007
【図６】
2015532041.tif 000008
【図７】
2015532041.tif 000009
【図８】
2015532041.tif 000010
【図９】
2015532041.tif 000011
【図１０】
2015532041.tif 000012
【国際調査報告】
2015532041.tif 000013
2015532041.tif 000014
2015532041.tif 000015
2015532041.tif 000016
2015532041.tif 000017
2015532041.tif 000018